(57)【特許請求の範囲】
【請求項１】
太陽電池パネルの一辺を保持する主枠部材と、前記一辺と隣接する隣接辺を保持する副枠部材との組を複数用いて太陽電池パネルを内側に囲むように保持すると共に、屋根等の傾斜した場所に、前記副枠部材の１つが最も低い位置になるように傾斜させて設置される太陽電池モジュールであって、
前記主枠部材は、
断面がコ字形で該コ字形の内部に前記太陽電池パネルの前記一辺を上下に挟持して前記太陽電池パネルを保持する太陽電池パネル主保持部と、
該太陽電池パネル主保持部の下に、下方に向かって連設された主壁部と、
該主壁部の下端の内側に、内側に向かって張設された主底部片と、を備えると共に、
前記副枠部材は、
断面がコ字形で該コ字形の内部に前記太陽電池パネルの前記隣接辺を上下に挟持して前記太陽電池パネルを保持する太陽電池パネル副保持部と、
該太陽電池パネル副保持部の下に、内部空間を挟んで下方に伸びる副外壁及び副内壁並びに該副外壁及び該副内壁の下端で前記内部空間を閉塞する副底辺片を備えると共に、前記内部空間の側端開口部が前記主枠部材の主壁部に当接し、閉塞されて構成される副壁部と、
前記副壁部の副内壁の下部の内側に、内側に向かって張設された副底部片と、を備えており、
該副底部片は、前記主枠部材の主底部片の上方に位置し、且つ、該副底部片の側端近傍の下面が、前記主枠部材の主底部片の側端近傍の上面に接面していると共に、前記副底部片の内側先端に、上向きに折曲した防水堤片が形成されていることを特徴とする太陽電池モジュール。
【請求項２】
請求項１記載の太陽電池モジュールにおいて、
前記防水堤片は、該防水堤片と前記副底部片とのなす角度が、９０度〜１２０度となるように形成されている太陽電池モジュール。
【請求項３】
請求項２記載の太陽電池モジュールにおいて、
前記防水堤片は、該防水堤片の先端面が、前記副底部片と略平行となるように形成されている太陽電池モジュール。
【請求項４】
請求項３記載の太陽電池モジュールにおいて、
前記防水堤片は、前記副底部片の上面からの前記防水堤片の先端面の高さが、２ｍｍ以上となるように形成されている太陽電池モジュール。
【請求項５】
太陽電池パネルの一辺を保持する主枠部材と、前記一辺と隣接する隣接辺を保持する副枠部材との組を複数用いて太陽電池パネルを内側に囲むように保持すると共に、屋根等の傾斜した場所に、前記副枠部材の１つが最も低い位置になるように傾斜させて設置される太陽電池モジュールであって、
前記主枠部材は、
断面がコ字形で該コ字形の内部に前記太陽電池パネルの前記一辺を上下に挟持して前記太陽電池パネルを保持する太陽電池パネル主保持部と、
該太陽電池パネル主保持部の下に、下方に向かって連設された主壁部と、
該主壁部の下端の内側に、内側に向かって張設された主底部片と、を備えると共に、
前記副枠部材は、
断面がコ字形で該コ字形の内部に前記太陽電池パネルの前記隣接辺を上下に挟持して前記太陽電池パネルを保持する太陽電池パネル副保持部と、
該太陽電池パネル副保持部の下に、内部空間を挟んで下方に伸びる副外壁及び副内壁並びに該副外壁及び該副内壁の下端で前記内部空間を閉塞する副底辺片を備えると共に、前記内部空間の側端開口部が前記主枠部材の主壁部に当接し、閉塞されて構成される副壁部と、
前記副壁部の副内壁の下部の内側に、内側に向かって張設された副底部片と、を備えており、
該副底部片は、前記主枠部材の主底部片の上方に位置すると共に、前記副底部片と前記主底部片との間に、水が流入可能な隙間が存在するように形成されていることを特徴とする太陽電池モジュール。
【発明の詳細な説明】
【技術分野】
【０００１】
本発明は、枠部材を用いて太陽電池パネルを囲むように保持すると共に、屋根等の傾斜した場所に傾斜させて設置される太陽電池モジュールに関する。
【背景技術】
【０００２】
太陽電池モジュールは、一般的に、太陽電池パネルと、この太陽電池パネルを保持する枠部材とで構成されている。この太陽電池モジュールに使用される枠部材には、種々の構造のものが知られている。
【０００３】
この枠部材には、この枠部材の構造として、太陽電池パネルの一辺に沿って垂直に形成された外壁と、この外壁の上部に水平に形成され、断面がコの字形をした太陽電池パネル保持部を備えた構造の枠部材が知られている。
【０００４】
この枠部材では、断面がコの字形をした太陽電池パネル保持部の該コ字形の内部に、太陽電池パネルの辺を挿入することにより、太陽電池パネルを上下に挟持して太陽電池モジュールを形成している。
【０００５】
又、この枠部材では、太陽電池モジュールを設置場所に固定するために、この枠部材の外壁の下端に、水平に張出した底部片が備えられている。このような枠部材を用いた太陽電池モジュールは、種々のものが、従来から知られている（例えば、特許文献１の図１〜図３参照）。
【０００６】
特許文献１に記載の太陽電池モジュールでは、この太陽電池モジュールに用いられている枠部材の下端に備えられている底部片は、枠部材の下端から太陽電池パネル側（内側）とは反対の外側を向いて張出している。
【０００７】
尚、本明細書では、太陽電池パネルの周囲を枠部材を用いて保持した太陽電池モジュールにおいて、「内側」とは、「太陽電池パネルが存在する方向の側」を意味し、「外側」とは、この「内側」と逆方向の側、即ち、「太陽電池パネルが存在する方向と逆方向の側」を意味するものとする。
【特許文献１】特開平９−９６０７１号公報
【発明の開示】
【発明が解決しようとする課題】
【０００８】
上述したように、特許文献１に記載の太陽電池モジュールでは、この太陽電池モジュールに用いられている枠部材の下端に備えられている底部片は、枠部材の下端から太陽電池パネル側（内側）とは反対の外側を向いて張出している。
【０００９】
そうすると、このような太陽電池モジュールを並べて設置する場合に、枠部材の下端から外側を向いて張出している底部片のため、隣に設置される太陽電池モジュールとの間に、この底部片を配設するスペースが必要になる。そのため、設置スペースに無駄が生じることになる。
【００１０】
そこで、これを解決するために、太陽電池モジュールを固定するのに用いられる枠部材の底部片が、枠部材の下端から、内側、即ち、太陽電池パネル側を向いて張出している枠部材が検討された。
【００１１】
図２４は、このような枠部材を用いた従来例の太陽電池モジュール３ｂの構造を示した部分分解斜視図である。この従来例の太陽電池モジュール３ｂは、次のような構造をしている。即ち、図２４において、太陽電池パネル９は、矩形状であり、この太陽電池パネル９の一辺を保持する主枠部材５０と、この一辺と隣接する隣接辺を保持する副枠部材７０との組を２組用いて、太陽電池パネル９を保持している。
【００１２】
上記の主枠部材５０は、太陽電池パネル主保持部５１、主壁部５２、及び、主底部片５６で構成されている。この内、太陽電池パネル主保持部５１は、断面がコ字形で該コ字形の内部に太陽電池パネル９の一辺を上下に挟持して太陽電池パネル９を保持している。主壁部５２は、該太陽電池パネル主保持部５１の下に、下方に向かって連設されている。そして、主底部片５６は、この主壁部５２の下端の内側に、内側に向かって張設されている。
【００１３】
又、副枠部材７０は、太陽電池パネル副保持部７１、副壁部７２、及び、副底部片７６で構成されている。この内、太陽電池パネル副保持部７１は、断面がコ字形で該コ字形の内部に太陽電池パネル９の隣接辺を上下に挟持して太陽電池パネル９を保持している。副壁部７２は、この太陽電池パネル副保持部７１の下に、内部空間７７を挟んで下方に伸びる副外壁７３及び副内壁７４と、これらの副外壁７３及び副内壁７４の下端で内部空間７７を閉塞する副底辺片７５とを備えると共に、内部空間７７の側端開口部が主枠部材５０の主壁部５２に当接することにより閉塞されて、構成されている。そして、副底部片７６は、副壁部７２の副内壁７４の下端の内側に、内側に向かって張設されている。
【００１４】
上記の従来例の太陽電池モジュール３ｂでは、主枠部材５０と副枠部材７０とを用いて太陽電池パネル９を保持させるために、主枠部材５０と副枠部材７０の角同士を結合しようとすると、図２４に示すように、主枠部材５０の主底部片５６と、副枠部材７０の副底部片７６とがぶつかり合って、このままでは、主枠部材５０と副枠部材７０を結合することができない。
【００１５】
この主枠部材５０と副枠部材７０を結合するためには、図２４に示すように、副枠部材７０の副底部片７６の一部（削除要部分７８）を削除する必要があり、そのため、この作業を行うための手間とコストが必要であった。
【００１６】
そこで、上記の削除作業を必要としない太陽電池モジュールとして、新たな太陽電池モジュール３ａが提案されている。図２０は、このような太陽電池モジュール３ａを示した部分斜視図、図２１は、この太陽電池モジュール３ａの構造を示した部分分解斜視図、図２２は、その部分平面図、図２３は、図２２のＥ−Ｅ断面図である。尚、図２０、図２２、及び、図２３では、太陽電池パネル９が省略されている。
【００１７】
この従来例の新たな太陽電池モジュール３ａは、上記の従来例の太陽電池モジュール３ｂにおける副枠部材７０に代えて、副枠部材６０を用いたものである。副枠部材６０は、上記の副枠部材７０とほとんど同じ構造である。
【００１８】
即ち、図２０〜図２３において、この副枠部材６０は、副枠部材７０と同様、太陽電池パネル副保持部６１、副壁部６２、及び、副底部片６６で構成されている。この内、太陽電池パネル副保持部６１は、断面がコ字形で該コ字形の内部に太陽電池パネル９の隣接辺を上下に挟持して太陽電池パネル９を保持している。副壁部６２は、太陽電池パネル副保持部６１の下に、内部空間６７を挟んで下方に伸びる副外壁６３及び副内壁６４と、これらの副外壁６３及び副内壁６４の下端で内部空間６７を閉塞する副底辺片６５とを備えると共に、内部空間６７の側端開口部が主枠部材５０の主壁部５２に当接することにより閉塞されて、構成されている。そして、副底部片６６は、副壁部６２の副内壁６４の下部の内側に、内側に向かって張設されている。
【００１９】
この従来例の新たな太陽電池モジュール３ａに用いられている副枠部材６０が、上記の副枠部材７０と異なるのは、図２０〜図２３に示すように、この副枠部材６０の副底部片６６が、副壁部６２の副内壁６４の下端ではなく、副壁部６２の副内壁６４の下部に、しかも、主枠部材５０の主底部片５６の上方に位置するようにすると共に、副底部片６６の側端近傍の下面が、主枠部材５０の主底部片５６の側端近傍の上面に接面して張設されている点である。
【００２０】
従って、太陽電池モジュール３ａでは、副枠部材６０の副底部片６６を、主枠部材５０の主底部片５６とぶつからないようにして、主枠部材５０と副枠部材６０の角同士を結合することができる。
【００２１】
ところで、上述したように構成された従来例の太陽電池モジュール３ａは、住宅等で使用される場合、太陽光を無駄なく使用できるようにするために、傾斜した屋根等の設置場所に、傾斜させて設置される場合が多い。
【００２２】
この場合、太陽電池モジュール３ａは、一般的には、図２０に示すように、副枠部材６０の１つが、最も低い位置になるように傾斜させて設置される。尚、図２０、及び、図２１では、太陽電池モジュール３ａが、水平面６に対して、傾斜角度７で傾斜していることを表している。このように、太陽電池モジュール３ａを傾斜させて設置した場合、降雨時等に、雨水が、傾斜している主枠部材５０の主底部片５６を、高い位置から低い位置へと流れる。
【００２３】
そうすると、上記の太陽電池モジュール３ａでは、副枠部材６０の副底部片６６が、主枠部材５０の主底部片５６の上方に位置し、且つ、副底部片６６の側端近傍の下面が、主枠部材５０の主底部片５６の側端近傍の上面に接面するようにして張設された構造を有している。このため、雨水が、図２０に示すような矢印８の水流方向に沿って、高い位置から低い位置へと流れ、主底部片５６から、この主底部片５６と副底部片６６の段差を乗越えて、副底部片６６の上面に流れ込む。
【００２４】
この副底部片６６へ流れ込んだ雨水は、副壁部６２の副内壁６４と主壁部５２との間の隙間等から、副壁部６２の内部空間６７へ流れ込む。この内部空間６７は、上述したように、内部空間６７の側端開口部が、主枠部材５０の主壁部５２に当接して、閉塞されている。
【００２５】
そこで、この副壁部６２の内部空間６７へ流れ込んだ雨水は、寒冷地等における厳寒期に、凍りつくことがある。上述したように、副壁部６２の内部空間６７は、閉塞されているので、この内部空間６７に雨水等が流れ込んで凍結すると、内部空間６７の周りの隙間等もこの雨水等により凍結することになる。そのため、この内部空間６７は密閉空間となるので、寒冷地における厳寒期等では、雨水が凍って体積が膨張し、副枠部材６０の副壁部６２を破壊することがあることから、これが、太陽電池モジュール３ａの破損する原因の１つとなっていた。
【００２６】
そこで、この発明は、このような状況を改善するためになされたものであって、太陽電池モジュールが、屋根等の傾斜した場所に傾斜させて設置される場合に、流れ込んだ雨水等の凍結により破壊されることが防止可能な、太陽電池モジュールを提供しようとするものである。
【課題を解決するための手段】
【００２７】
本発明の太陽電池モジュールとしては、第１の太陽電池モジュールと、第２の太陽電池モジュールの、２種類の太陽電池モジュールを構成することができる。まず、第１の太陽電池モジュールについて説明する。
【００２８】
本発明の第１の太陽電池モジュールでは、太陽電池パネルの一辺を保持する主枠部材と、この一辺と隣接する隣接辺を保持する副枠部材との組を複数用いて太陽電池パネルを内側に囲むように保持している。又、この第１の太陽電池モジュールは、屋根等の傾斜した場所に、副枠部材の１つが最も低い位置になるように傾斜させて設置される。
【００２９】
上記の第１の太陽電池モジュールにおける主枠部材は、太陽電池パネル主保持部、主壁部、及び、主底部片を備えている。この内、太陽電池パネル主保持部は、断面がコ字形で該コ字形の内部に太陽電池パネルの一辺を上下に挟持して太陽電池パネルを保持している。主壁部は、太陽電池パネル主保持部の下に、下方に向かって連設されている。そして、主底部片は、主壁部の下端の内側に、内側に向かって張設されている。
【００３０】
又、上記の第１の太陽電池モジュールにおける副枠部材は、太陽電池パネル副保持部、副壁部、及び、副底部片を備えている。この内、太陽電池パネル副保持部は、断面がコ字形で該コ字形の内部に太陽電池パネルの隣接辺を上下に挟持して太陽電池パネルを保持している。
【００３１】
副壁部は、太陽電池パネル副保持部の下に、内部空間を挟んで下方に伸びる副外壁及び副内壁と、これらの副外壁及び副内壁の下端で内部空間を閉塞する副底辺片とを備えると共に、内部空間の側端開口部が主枠部材の主壁部に当接することにより閉塞されて、構成されている。そして、副底部片は、副壁部の副内壁の下部の内側に、内側に向かって張設されている。
【００３２】
上記の第１の太陽電池モジュールでは、副底部片は、主枠部材の主底部片の上方に位置し、且つ、該副底部片の側端近傍の下面が、主枠部材の主底部片の側端近傍の上面に接面していると共に、該副底部片の内側先端に、上向きに折曲した防水堤片が形成されていることを特徴としている。
【００３３】
そのため、上記の第１の太陽電池モジュールを傾斜させて設置した場合、降雨時に、雨水等が、傾斜している主枠部材の主底部片を、高い位置から低い位置へと流れても、副枠部材の副底部片の内側先端に、上向きに折曲して形成されている防水堤片により、雨水等が堰き止められて主枠部材の主底部片の内側先端から下方に排出される。従って、雨水等が副底部片へ流れ込むのが防止される。
【００３４】
そうすると、上記の第１の太陽電池モジュールでは、副枠部材の内部空間は、上述したように、この内部空間の側端開口部が、主枠部材の主壁部に当接して、閉塞されているものの、副底部片への雨水等の流入が防止されるので、副壁部の内部空間へ雨水等が流れ込むことはない。そのため、副壁部の内部空間へ流れ込んだ雨水が凍って体積が膨張することにより副枠部材の副壁部が破壊されるのを避けることができる。従って、上記の第１の太陽電池モジュールを、屋根等の傾斜した場所に傾斜させて設置した場合に、流れ込んだ雨水等の凍結により破壊されることを防止することができる。
【００３５】
上記の第１の太陽電池モジュールにおいて、防水堤片は、この防水堤片と副底部片とのなす角度が、９０度〜１２０度となるように形成されるのが好ましい。又、この場合に、防水堤片は、この防水堤片の先端面が、副底部片と略平行となるように形成されるのが好ましい。又、防水堤片は、副底部片の上面からの防水堤片の先端面の高さが、２ｍｍ以上となるように形成されるのが好ましい。
【００３６】
次に、本発明の第２の太陽電池モジュールについて説明する。本発明の第２の太陽電池モジュールは、本発明の第１の太陽電池モジュールと同様、太陽電池パネルの一辺を保持する主枠部材と、一辺と隣接する隣接辺を保持する副枠部材との組を複数用いて太陽電池パネルを内側に囲むように保持している。この第２の太陽電池モジュールは、第１の太陽電池モジュールと同様、屋根等の傾斜した場所に、副枠部材の１つが最も低い位置になるように傾斜させて設置される。
【００３７】
上記の第２の太陽電池モジュールにおける主枠部材は、太陽電池パネル主保持部、主壁部、及び、主底部片を備えている。この内、太陽電池パネル主保持部は、断面がコ字形で該コ字形の内部に太陽電池パネルの一辺を上下に挟持して太陽電池パネルを保持している。主壁部は、該太陽電池パネル主保持部の下に、下方に向かって連設されている。そして、主底部片は、主壁部の下端の内側に、内側に向かって張設されている。
【００３８】
又、上記の第２の太陽電池モジュールにおける副枠部材は、太陽電池パネル副保持部、副壁部、及び、副底部片を備えている。この内、太陽電池パネル副保持部は、断面がコ字形で該コ字形の内部に太陽電池パネルの隣接辺を上下に挟持して太陽電池パネルを保持している。
【００３９】
副壁部は、太陽電池パネル副保持部の下に、内部空間を挟んで下方に伸びる副外壁及び副内壁と、これらの副外壁及び副内壁の下端で内部空間を閉塞する副底辺片とを備えると共に、内部空間の側端開口部が主枠部材の主壁部に当接することにより閉塞されて、構成されている。そして、副底部片は、副壁部の副内壁の下部の内側に、内側に向かって張設されている。
【００４０】
上記の第２の太陽電池モジュールでは、副底部片は、主枠部材の主底部片の上方に位置すると共に、副底部片と主底部片との間に、水が流入可能な隙間が存在するように形成されていることを特徴としている。
【００４１】
そのため、上記の第２の太陽電池モジュールを傾斜させて設置した場合、降雨時に、雨水等が、傾斜している主枠部材の主底部片を、高い位置から低い位置へと流れても、副枠部材の副底部片と主枠部材の主底部片との間に、水が流入可能な隙間が存在しており、雨水等が、この水が流入可能な隙間に流入して下方に排出される。従って、雨水等が副底部片へ流れ込むのが防止される。
【００４２】
そうすると、上記の第２の太陽電池モジュールでは、副枠部材の内部空間は、上述したように、この内部空間の側端開口部が、主枠部材の主壁部に当接して、閉塞されているものの、副底部片への雨水等の流入が防止されるので、副壁部の内部空間へ雨水等が流れ込むことはない。そのため、副壁部の内部空間へ流れ込んだ雨水が凍って体積が膨張することにより副枠部材の副壁部が破壊されるのを避けることができる。従って、上記の第２の太陽電池モジュールを、屋根等の傾斜した場所に傾斜させて設置した場合に、流れ込んだ雨水等の凍結により破壊されることを防止することができる。
【発明の効果】
【００４３】
本発明によれば、太陽電池モジュールにおいて、副枠部材の副底部片の側端近傍の下面と主枠部材の主底部片の側端近傍の上面とが接面していると共に、副底部片の内側先端に上向きに折曲した防水堤片が形成される。或いは、副枠部材の副底部片が、主枠部材の主底部片の上方に位置すると共に、副底部片と主底部片との間に、水が流入可能な隙間が形成される。
【００４４】
そのため、太陽電池モジュールを傾斜させて設置した場合、降雨時に、雨水等が、傾斜している主枠部材の主底部片を、高い位置から低い位置へと流れても、副枠部材の副底部片の内側先端に、上向きに折曲して形成されている防水堤片により、雨水等が堰き止められて主枠部材の主底部片の内側先端から下方に排出されるので、副底部片へ流れ込むのが防止される。或いは、副枠部材の副底部片と主枠部材の主底部片との間に、水が流入可能な隙間が存在しており、雨水等が、この水が流入可能な隙間に流入して下方に排出されるので、副底部片へ流れ込むのが防止される。
【００４５】
従って、この副底部片への雨水等の流入が防止されることにより、副壁部の内部空間へ雨水等が流れ込むことはなく、そのため、副壁部の内部空間へ流れ込んだ雨水が凍って体積が膨張することにより副枠部材の副壁部が破壊されるのを避けることができる。それ故、太陽電池モジュールを、屋根等の傾斜した場所に傾斜させて設置した場合に、流れ込んだ雨水等の凍結により破壊されることを、防止することができる。
【発明を実施するための最良の形態】
【００４６】
次に、本発明の実施の形態における太陽電池モジュールについて、図面を参照しながら説明する。本実施の形態における説明では、実施の形態１〜実施の形態４の、４種類の実施の形態における太陽電池モジュールについて説明する。
【００４７】
＜実施の形態１＞
図１は、実施の形態１における太陽電池モジュール１ａの構造を示した部分斜視図、図２は、その部分分解斜視図、図３は、その部分平面図、そして、図４は、図３のＡ−Ａ断面図である。尚、図１、図３、及び、図４では、太陽電池パネル９が省略されていると共に、図１、及び、図２では、太陽電池モジュール１ａが、水平面６に対して、傾斜角度７で傾斜していることを表している。即ち、実施の形態１における太陽電池モジュール１ａは、屋根等の傾斜した場所に、後述する副枠部材２０の１つが、最も低い位置になるように傾斜させて設置される。
【００４８】
この実施の形態１における太陽電池モジュール１ａは、次のような構造をしている。即ち、図１〜図４において、太陽電池パネル９は、矩形状であり、この太陽電池パネル９の一辺を保持する主枠部材１０と、この一辺と隣接する隣接辺を保持する副枠部材２０との組を２組用いて、太陽電池パネル９を内側に囲むように保持している。
【００４９】
上記の主枠部材１０は、太陽電池パネル主保持部１１、主壁部１２、及び、主底部片１６で構成されている。この内、太陽電池パネル主保持部１１は、断面がコ字形で該コ字形の内部に太陽電池パネル９の一辺を上下に挟持して太陽電池パネル９を保持している。主壁部１２は、太陽電池パネル主保持部１１の下に、下方に向かって連設されている主外壁１３で構成されている。そして、主底部片１６は、主壁部１２の下端の内側に、内側に向かって張設されている。
【００５０】
又、副枠部材２０は、太陽電池パネル副保持部２１、副壁部２２、及び、副底部片２６で構成されている。この内、太陽電池パネル副保持部２１は、断面がコ字形で該コ字形の内部に太陽電池パネル９の隣接辺を上下に挟持して太陽電池パネル９を保持している。
【００５１】
副壁部２２は、太陽電池パネル副保持部２１の下に、内部空間２７を挟んで下方に伸びる副外壁２３及び副内壁２４と、これらの副外壁２３及び副内壁２４の下端で内部空間２７を閉塞する副底辺片２５とを備えると共に、内部空間２７の側端開口部が主枠部材１０の主壁部１２の内側面に当接することにより閉塞されて、構成されている。そして、副底部片２６は、副壁部２２の副内壁２４の下部の内側に、内側に向かって張設されている。
【００５２】
上記の太陽電池モジュール１ａでは、副枠部材２０の副底部片２６は、図４に示すように、主枠部材１０の主底部片１６の上方に位置し、且つ、この副底部片２６の側端近傍の下面が、主底部片１６の側端近傍の上面に接面していると共に、この副底部片２６の内側先端に、上向きに折曲した防水堤片２８が形成されている。
【００５３】
そのため、上記の太陽電池モジュール１ａを傾斜させて設置した場合、降雨時に、雨水等が、傾斜している主枠部材１０の主底部片１６を、高い位置から低い位置へと流れても、副枠部材２０の副底部片２６の内側先端に、上向きに折曲して形成されている防水堤片２８により、雨水等が、図１に示す水流方向８のように、堰き止められて主枠部材１０の主底部片１６の内側先端から下方に排出される。従って、雨水等が副枠部材２０の副底部片２６の上面に流れ込むのが防止される。
【００５４】
そうすると、上記の太陽電池モジュール１ａでは、副枠部材２０の内部空間２７は、上述したように、この内部空間２７の側端開口部が、主枠部材１０の主壁部１２に当接して、閉塞されているものの、副枠部材２０の副底部片２６の上面への雨水等の流入が防止されるので、副枠部材２０の副壁部２２の内部空間２７へ雨水等が流れ込むことはない。そのため、この副壁部２２の内部空間２７へ流れ込んだ雨水が凍って体積が膨張することにより副枠部材２０の副壁部２２が破壊されるのを避けることができる。従って、上記の太陽電池モジュール１ａを、屋根等の傾斜した場所に傾斜させて設置した場合に、流れ込んだ雨水等の凍結により破壊されることを防止することができる。
【００５５】
上記の実施の形態１における太陽電池モジュール１ａでは、防水堤片２８は、この防水堤片２８と副底部片２６とのなす角度を、図５に示すように９０度としている。しかしこれには限られず、この防水堤片２８と副底部片２６とのなす角度を、図５に示す９０度から、図６に示す１２０度の間の角度とするようにしてもよい。この防水堤片２８と副底部片２６とのなす角度として、９０度〜１２０度を用いるのが、これ以外の角度を用いる場合に比べて、優れていることが、試作品を用いた実験により確認されている。
【００５６】
又、防水堤片２８は、図７に示すように、この防水堤片２８の先端面が、副底部片２６と略平行となるように形成するのが好ましい。この防水堤片２８の先端の形状を、このような形状とすることにより、雨水等が、傾斜している主枠部材１０の主底部片１６を、高い位置から低い位置へと流れる際に、この防水堤片２８を乗越えにくくすることができる。
【００５７】
又、防水堤片２８は、副底部片２６の上面からの防水堤片２８の先端面の高さが、２ｍｍ以上となるように形成するのが好ましい。防水堤片２８の先端面の高さを、副底部片２６の上面から２ｍｍ以上とすることにより、良好な結果が得られることが、試作品を用いた実験により確認されている。
【００５８】
＜実施の形態２＞
図８は、実施の形態２における太陽電池モジュール１ｂの構造を示した部分斜視図、図９は、その部分分解斜視図、図１０は、その部分平面図、そして、図１１は、図１０のＢ−Ｂ断面図である。尚、図８、図１０、及び、図１１では、太陽電池パネル９が省略されていると共に、図８、及び、図９では、太陽電池モジュール１ｂが、水平面６に対して、傾斜角度７で傾斜していることを表している。即ち、実施の形態２における太陽電池モジュール１ｂは、実施の形態１における太陽電池モジュール１ａと同様、屋根等の傾斜した場所に、後述する副枠部材２０の１つが、最も低い位置になるように傾斜させて設置される。
【００５９】
実施の形態２における太陽電池モジュール１ｂは、実施の形態１における太陽電池モジュール１ａとほとんど同じである。実施の形態２における太陽電池モジュール１ｂが、実施の形態１における太陽電池モジュール１ａと異なるのは、実施の形態１における太陽電池モジュール１ａでは、主枠部材１０の主壁部１２が、主外壁１３のみで形成されているのに対して、実施の形態２における太陽電池モジュール１ｂでは、主枠部材１０の主壁部１２は、主外壁１３、主内壁１４、及び、主底辺片１５で構成されていると共に、内部空間１７が形成されている点である。
【００６０】
従って、副枠部材２０については、実施の形態２における太陽電池モジュール１ｂは、実施の形態１における太陽電池モジュール１ａと全く同じであり、副枠部材２０に防水堤片２８が備えられているのは、実施の形態１における太陽電池モジュール１ａと同様である。
【００６１】
そのため、実施の形態２における太陽電池モジュール１ｂが備える作用、効果は、実施の形態１における太陽電池モジュール１ａが備える作用、効果と、全く同じである。
【００６２】
＜実施の形態３＞
図１２は、実施の形態３における太陽電池モジュール２ａの構造を示した部分斜視図、図１３は、その部分分解斜視図、図１４は、その部分平面図、そして、図１５は、図１４のＣ−Ｃ断面図である。尚、図１２、図１４、及び、図１５では、太陽電池パネル９が省略されていると共に、図１２、及び、図１３では、太陽電池モジュール２ａが、水平面６に対して、傾斜角度７で傾斜していることを表している。即ち、実施の形態３における太陽電池モジュール２ａは、屋根等の傾斜した場所に、後述する副枠部材４０の１つが、最も低い位置になるように傾斜させて設置される。
【００６３】
この実施の形態３における太陽電池モジュール２ａは、次のような構造をしている。即ち、図１２〜図１５において、太陽電池パネル９は、矩形状であり、この太陽電池パネル９の一辺を保持する主枠部材３０と、この一辺と隣接する隣接辺を保持する副枠部材４０との組を２組用いて、太陽電池パネル９を内側に囲むように保持している。
【００６４】
上記の主枠部材３０は、太陽電池パネル主保持部３１、主壁部３２、及び、主底部片３６で構成されている。この内、太陽電池パネル主保持部３１は、断面がコ字形で該コ字形の内部に太陽電池パネル９の一辺を上下に挟持して太陽電池パネル９を保持している。主壁部３２は、該太陽電池パネル主保持部３１の下に、下方に向かって連設されている主外壁３３で構成されている。そして、主底部片３６は、主壁部３２の下端の内側に、内側に向かって張設されている。
【００６５】
又、副枠部材４０は、太陽電池パネル副保持部４１、副壁部４２、及び、副底部片４６で構成されている。この内、太陽電池パネル副保持部４１は、断面がコ字形で該コ字形の内部に太陽電池パネル９の隣接辺を上下に挟持して太陽電池パネル９を保持している。
【００６６】
副壁部４２は、太陽電池パネル副保持部４１の下に、内部空間４７を挟んで下方に伸びる副外壁４３及び副内壁４４と、これらの副外壁４３及び副内壁４４の下端で内部空間４７を閉塞する副底辺片４５とを備えると共に、内部空間４７の側端開口部が主枠部材３０の主壁部３２の内側面に当接することにより閉塞されて、構成されている。そして、副底部片４６は、副壁部４２の副内壁４４の下部の内側に、内側に向かって張設されている。
【００６７】
上記の太陽電池モジュール２ａでは、副枠部材４０の副底部片４６は、図１５に示すように、主枠部材３０の主底部片３６の上方に位置すると共に、副枠部材４０の副底部片４６と主枠部材３０主底部片３６との間に、水が流入可能な隙間４８が形成されている。
【００６８】
そのため、上記の太陽電池モジュール２ａを傾斜させて設置した場合、降雨時に、雨水等が、傾斜している主枠部材３０の主底部片３６を、高い位置から低い位置へと流れても、副枠部材４０の副底部片４６と主枠部材３０の主底部片３６との間に、水が流入可能な隙間４８が形成されており、図１に示す水流方向８のように、雨水等が、この水が流入可能な隙間４８に流入して下方に排出される。従って、雨水等が副底部片４６の上面に流れ込むのが防止される。
【００６９】
そうすると、上記の太陽電池モジュール２ａでは、副枠部材４０の内部空間４７は、上述したように、この内部空間４７の側端開口部が、主枠部材３０の主壁部３２に当接して、閉塞されているものの、副枠部材４０の副底部片４６の上面への雨水等の流入が防止されるので、副壁部４２の内部空間４７へ雨水等が流れ込むことはない。そのため、副壁部４２の内部空間４７へ流れ込んだ雨水が凍って体積が膨張することにより副枠部材４０の副壁部４２が破壊されるのを避けることができる。従って、上記の太陽電池モジュール２ａを、屋根等の傾斜した場所に傾斜させて設置した場合に、流れ込んだ雨水等の凍結により破壊されることを防止することができる。
【００７０】
＜実施の形態４＞
図１６は、実施の形態４における太陽電池モジュール２ｂの構造を示した部分斜視図、図１７は、その部分分解斜視図、図１８は、その部分平面図、そして、図１９は、図１８のＤ−Ｄ断面図である。尚、図１６、図１８、及び、図１９では、太陽電池パネル９が省略されていると共に、図１６、及び、図１７では、太陽電池モジュール２ｂが、水平面６に対して、傾斜角度７で傾斜していることを表している。即ち、実施の形態４における太陽電池モジュール２ｂは、実施の形態３における太陽電池モジュール２ａと同様、屋根等の傾斜した場所に、後述する副枠部材４０の１つが、最も低い位置になるように傾斜させて設置される。
【００７１】
実施の形態４における太陽電池モジュール２ｂは、実施の形態３における太陽電池モジュール２ａとほとんど同じである。実施の形態４における太陽電池モジュール２ｂが、実施の形態３における太陽電池モジュール２ａと異なるのは、実施の形態３における太陽電池モジュール２ａでは、主枠部材３０の主壁部３２が、主外壁３３のみで形成されているのに対して、実施の形態４における太陽電池モジュール２ｂでは、主枠部材３０の主壁部３２は、主外壁３３、主内壁３４、及び、主底辺片３５で構成されていると共に、内部空間３７が形成されている点である。
【００７２】
従って、副枠部材４０については、実施の形態４における太陽電池モジュール２ｂは、実施の形態３における太陽電池モジュール２ａと全く同じであり、副枠部材４０の副底部片４６は、図１９に示すように、主枠部材３０の主底部片３６の上方に位置すると共に、副枠部材４０の副底部片４６と主枠部材３０主底部片３６との間に、水が流入可能な隙間４８が形成されているのは、実施の形態３における太陽電池モジュール２ａと同様である。
【００７３】
そのため、実施の形態４における太陽電池モジュール２ｂが備える作用、効果は、実施の形態３における太陽電池モジュール２ａが備える作用、効果と、全く同じである。
【図面の簡単な説明】
【００７４】
【図１】実施の形態１における太陽電池モジュールの部分斜視図である。
【図２】実施の形態１における太陽電池モジュールの部分分解斜視図である。
【図３】実施の形態１における太陽電池モジュールの部分平面図である。
【図４】図３のＡ−Ａ断面図である。
【図５】実施の形態１における太陽電池モジュールの副枠部材の防水堤片の先端の形状を示した断面図（その１）である。
【図６】実施の形態１における太陽電池モジュールの副枠部材の防水堤片の先端の形状を示した断面図（その２）である。
【図７】実施の形態１における太陽電池モジュールの副枠部材の防水堤片の先端の形状を示した断面図（その３）である。
【図８】実施の形態２における太陽電池モジュールの部分斜視図である。
【図９】実施の形態２における太陽電池モジュールの部分分解斜視図である。
【図１０】実施の形態２における太陽電池モジュールの部分平面図である。
【図１１】図１０のＢ−Ｂ断面図である。
【図１２】実施の形態３における太陽電池モジュールの部分斜視図である。
【図１３】実施の形態３における太陽電池モジュールの部分分解斜視図である。
【図１４】実施の形態３における太陽電池モジュールの部分平面図である。
【図１５】図１４のＣ−Ｃ断面図である。
【図１６】実施の形態４における太陽電池モジュールの部分斜視図である。
【図１７】実施の形態４における太陽電池モジュールの部分分解斜視図である。
【図１８】実施の形態４における太陽電池モジュールの部分平面図である。
【図１９】図１８のＤ−Ｄ断面図である。
【図２０】改良従来例の太陽電池モジュールの部分斜視図である。
【図２１】改良従来例の太陽電池モジュールの部分分解斜視図である。
【図２２】改良従来例の太陽電池モジュールの部分平面図である。
【図２３】図２２のＥ−Ｅ断面図である。
【図２４】従来例の太陽電池モジュールの部分分解斜視図である。
【符号の説明】
【００７５】
１ａ  太陽電池モジュール
１ｂ  太陽電池モジュール
２ａ  太陽電池モジュール
２ｂ  太陽電池モジュール
３ａ  太陽電池モジュール
３ｂ  太陽電池モジュール
６  水平面
７  傾斜角度
８  水流方向
９  太陽電池パネル
１０  主枠部材
１１  太陽電池パネル主保持部
１２  主壁部
１３  主外壁
１４  主内壁
１５  主底辺片
１６  主底部片
１７  内部空間
２０  副枠部材
２１  太陽電池パネル副保持部
２２  副壁部
２３  副外壁
２４  副内壁
２５  副底辺片
２６  副底部片
２７  内部空間
２８  防水堤片
３０  主枠部材
３１  太陽電池パネル主保持部
３２  主壁部
３３  主外壁
３４  主内壁
３５  主底辺片
３６  主底部片
３７  内部空間
４０  副枠部材
４１  太陽電池パネル副保持部
４２  副壁部
４３  副外壁
４４  副内壁
４５  副底辺片
４６  副底部片
４７  内部空間
４８  隙間
５０  主枠部材
５１  太陽電池パネル主保持部
５４  主内壁
５５  主底辺片
５６  主底部片
５７  内部空間
６０  副枠部材
６１  太陽電池パネル副保持部
６２  副壁部
６３  副外壁
６４  副内壁
６５  副底辺片
６６  副底部片
６７  内部空間
７０  副枠部材
７１  太陽電池パネル副保持部
７２  副壁部
７３  副外壁
７４  副内壁
７５  副底辺片
７６  副底部片
７７  内部空間
７８  削除要部分
【要約】
【課題】太陽電池モジュールが、屋根等の場所に傾斜させて設置される場合に、流れ込んだ雨水等の凍結により破壊されることが防止可能な、太陽電池モジュールを提供する。
【解決手段】太陽電池パネル９の一辺を保持する主枠部材１０と、この一辺と隣接する隣接辺を保持する副枠部材２０とを用いて、太陽電池パネル９を保持すると共に、主枠部材１０を、太陽電池パネル主保持部１１、主壁部１２、及び、主底部片１６で構成し、副枠部材２０を、太陽電池パネル副保持部２１、副壁部２２、及び、副底部片２６で構成すると共に、副枠部材２０の副底部片２６を、主枠部材１０の主底部片１６の上方に位置し、且つ、この副底部片２６の側端近傍の下面を、主底部片１６の側端近傍の上面に接面させると共に、この副底部片２６の内側先端に、上向きに折曲した防水堤片２８を形成して、太陽電池モジュール１ａを構成する。
【選択図】図２【図１】
0004209451.tif 000002
【図２】
0004209451.tif 000003
【図３】
0004209451.tif 000004
【図４】
0004209451.tif 000005
【図５】
0004209451.tif 000006
【図６】
0004209451.tif 000007
【図７】
0004209451.tif 000008
【図８】
0004209451.tif 000009
【図９】
0004209451.tif 000010
【図１０】
0004209451.tif 000011
【図１１】
0004209451.tif 000012
【図１２】
0004209451.tif 000013
【図１３】
0004209451.tif 000014
【図１４】
0004209451.tif 000015
【図１５】
0004209451.tif 000016
【図１６】
0004209451.tif 000017
【図１７】
0004209451.tif 000018
【図１８】
0004209451.tif 000019
【図１９】
0004209451.tif 000020
【図２０】
0004209451.tif 000021
【図２１】
0004209451.tif 000022
【図２２】
0004209451.tif 000023
【図２３】
0004209451.tif 000024
【図２４】
0004209451.tif 000025